(57)【特許請求の範囲】
【請求項１】
互いに重ね合わされた各々可撓性素材のシート状物である外側板および内側板を備え、
前記外側板と前記内側板の各々に関し、第１の方向に沿って延伸する互いに対向する２つの帯状の外縁領域を上辺縁部および下辺縁部とし、前記第１の方向と直交する第２の方向に沿って延伸する互いに対向する２つの帯状の外縁領域を第１の側辺縁部および第２の側辺縁部とし、前記第１の方向の中腹において前記第２の方向に沿った方向に延伸する帯状の領域を折り目部とする場合、
前記外側板と前記内側板とは、前記第１の側辺縁部の少なくとも一部において互いに遊動しないように前記第２の方向に沿って連結され、
前記外側板と前記内側板とは、前記下辺縁部のうち前記折り目部から見て前記第１の側辺縁部側に位置する部分の少なくとも一部において互いに遊動しないように前記第１の方向に沿って連結され、
前記外側板と前記内側板とは、前記折り目部から見て前記第２の側辺縁部側に位置する領域において、少なくとも前記第１の方向に関し互いに遊動可能であり、
前記外側板の前記第１の方向の長さは前記内側板の前記第１の方向の長さより長くされており、折り曲げられる際には、前記外側板と前記内側板が互いに前記第１の方向にずれるように移動する
シート状物を収納するための収納具。
【請求項２】
前記外側板と前記内側板とを、前記折り目部から見て前記第２の側辺縁部側に位置する領域のいずれかの位置において互いに遊動可能に連結する連結部を備える
請求項１に記載の収納具。
【請求項３】
前記内側板は前記折り目部から見て前記第２の側辺縁部側に位置する領域において前記第２の側辺縁部の外側に向かい開口する中空部を備え、
前記外側板は前記内側板を内側に挟むように前記折り目部に沿って折り曲げられた状態において、前記外側板の前記第２の側辺縁部が前記外側板の前記第１の側辺縁部に達することで、前記内側板を前記第１の方向に覆い包む
請求項１または２に記載の収納具。
【請求項４】
前記外側板は前記折り目部から見て前記第１の側辺縁部側に位置する領域において前記上辺縁部の外側に向かい開口する中空部を備え、
前記外側板が備える前記第１の側辺縁部側に位置する領域において前記上辺縁部の外側に向かい開口する中空部は、前記下辺縁部に関し当該下辺縁部の一部においてのみ外側に向かい開口する開口部を有する
請求項１乃至３のいずれかに記載の収納具。
【請求項５】
前記内側板は前記折り目部から見て前記第１の側辺縁部側に位置する領域において前記第１の側辺縁部の外側に向かい開口する中空部を備え、
前記外側板は前記内側板を内側に挟むように前記折り目部に沿って折り曲げられた状態において、前記外側板の前記第２の側辺縁部が前記外側板の前記第１の側辺縁部に達することで、前記内側板を前記第１の方向に覆い包む
請求項１乃至４のいずれかに記載の収納具。
【請求項６】
前記外側板は前記内側板を内側に挟むように前記折り目部に沿って折り曲げられた状態において、前記外側板の前記第２の側辺縁部が前記外側板の前記第１の側辺縁部に達することで、前記内側板を前記第１の方向に覆い包み、
前記外側板は前記内側板の前記第２の側辺縁部に沿って延伸する領域において前記内側板に対向する側に開口する中空部を備える
請求項１乃至５のいずれかに記載の収納具。
【請求項７】
前記外側板は前記折り目部から見て前記第１の側辺縁部側に位置する領域において前記第１の側辺縁部の外側に向かい開口する中空部を備え、
前記外側板は前記内側板を内側に挟むように前記折り目部に沿って折り曲げられた状態において、前記外側板の前記第２の側辺縁部が前記外側板の前記第１の側辺縁部に達することで、前記内側板を前記第１の方向に覆い包む
請求項１乃至６のいずれかに記載の収納具。
【請求項８】
前記外側板は前記折り目部から見て前記第２の側辺縁部側に位置する領域において前記上辺縁部の外側に向かい開口する中空部を備え、
前記外側板が備える前記第２の側辺縁部側に位置する領域において前記上辺縁部の外側に向かい開口する中空部は、前記下辺縁部に関し当該下辺縁部の一部においてのみ外側に向かい開口する開口部を有する
請求項１乃至７のいずれかに記載の収納具。
【請求項９】
前記内側板は前記折り目部から見て前記第１の側辺縁部側に位置する領域において前記上辺縁部の外側に向かい開口する中空部を備え、
前記内側板が備える前記第１の側辺縁部側に位置する領域において前記上辺縁部の外側に向かい開口する中空部は、前記下辺縁部に関し当該下辺縁部の一部においてのみ外側に向かい開口する開口部を有する
請求項１乃至８のいずれかに記載の収納具。
【請求項１０】
前記内側板は前記折り目部から見て前記第２の側辺縁部側に位置する領域において前記上辺縁部の外側に向かい開口する中空部を備え、
前記内側板が備える前記第２の側辺縁部側に位置する領域において前記上辺縁部の外側に向かい開口する中空部は、前記下辺縁部に関し当該下辺縁部の一部においてのみ外側に向かい開口する開口部を有する
請求項１乃至９のいずれかに記載の収納具。
【発明の詳細な説明】
【技術分野】
【０００１】
本発明は紙幣等のシート状物を収納する財布等の収納具に関する。
【背景技術】
【０００２】
古くから多くの人に携帯されているものの一つとして財布がある。財布の基本機能は紙幣および硬貨を出し入れ可能に収納することであるが、近年では運転免許証やクレジットカードなどの各種カードを財布に収納して携帯する人も多い。
【０００３】
紙幣を収納可能な財布には、大きく、紙幣を開いた状態で保持する平財布もしくは長財布と呼ばれるタイプと、紙幣を収納した後に財布全体を折り曲げる折財布と呼ばれるタイプがある。折財布は平板な面の面積が小さくなるため、一般的に平財布と比べ携帯性に優れている。
【０００４】
図４は従来技術にかかる典型的な折財布（二つ折りタイプ）の概観を模式的に示した図である。典型的な折財布は、図４（ａ）に示されるように、皮革等を素材とする２枚のシート状物、すなわち外側板９１と内側板９２を重ね併せ、それらの外周縁部のうち紙幣の出し入れに用いる長手方向の一辺を開口させ、他の３辺を縫合等により閉じた構造を備えている。なお、図４（ａ）において破線で示される部分が縫合部分である。
【０００５】
図４（ｂ）は、折財布を折り曲げた状態を示している。図４（ｂ）に示されるように、折り曲げた状態における外側板９１の折り目部の曲率Ｒは、内側板９２の折り目部の曲率ｒより大きく、従って、外側板９１の長手方向の全長を内側板９２の長手方向の全長より長くしなければ、折財布をスムーズに折り曲げることができない。特に多数枚の紙幣を収納した状態で折財布を折り曲げる場合、その厚みにより外側板９１の曲率Ｒがさらに大きくなるため、その分も考慮して外側板９１の長手方向の長さを内側板９２の長手方向の長さに対し十分に長くしておく必要がある。
【０００６】
上述の理由で外側板９１の長手方向の長さを内側板９２の長手方向の長さより長くすると、折財布を開いた際、図４（ａ）に示すように、外側板９１の折り目部に外側に張り出す弛み部９１１が生じる。この弛み部９１１は、折財布を開いた時のフォルムを崩し美観を損ねる。
【０００７】
また、紙幣のサイズは内側板９２より小さく、紙幣の厚みを考慮しても、紙幣を覆うために必要な外側板のサイズは内側板９２のサイズと同程度であるにもかかわらず、弛み部９１１を設ける分だけ、外側板９１のサイズは内側板９２より長手方向に大きい。従って、折財布のサイズおよび重量がそれだけ大きくなっているといえる。
【０００８】
上述した事情に鑑み、弛み部９１１を除き、折財布をコンパクト化および軽量化するための工夫を提案するものとして、特許文献１乃至３がある。特許文献１および２においては内面板を折り目部において２つに分離することにより、また特許文献３においては内面板の折り目部に折り目方向に大きく切り目を入れることにより、外面板の弛み部を不要とした折財布が提案されている。その結果、それらの折財布を開いた際に折り目部が美観を損ねることがなく、また折財布全体のコンパクト化および軽量化が実現されている。
【先行技術文献】
【特許文献】
【０００９】
【特許文献１】実開昭６２−０３９５１４号公報
【特許文献２】特開平０９−２８５３２６号公報
【特許文献３】実開昭６３−１１５３２０号公報
【発明の概要】
【発明が解決しようとする課題】
【００１０】
特許文献１乃至３において提案されている折財布は美観および携帯性に優れているが、その一方、内側板が２枚に分離しているため、紙幣の収納時にその両方を同時に開く必要があり、使い勝手がやや劣る。
【００１１】
なお、折財布は紙幣を収納することを目的とするものであるが、その構造は紙幣以外のシート状物を収納する収納具に広く共通して採用可能な構造である。
【００１２】
そこで、本発明は、コンパクト化および軽量化を実現するとともに利便性の高いシート状物の収納具を提供することを目的とする。
【課題を解決するための手段】
【００１３】
上記課題を解決するため、本発明は、
互いに重ね合わされた各々可撓性素材のシート状物である外側板および内側板を備え、
前記外側板と前記内側板の各々に関し、第１の方向に沿って延伸する互いに対向する２つの帯状の外縁領域を上辺縁部および下辺縁部とし、前記第１の方向と直交する第２の方向に沿って延伸する互いに対向する２つの帯状の外縁領域を第１の側辺縁部および第２の側辺縁部とし、前記第１の方向の中腹において前記第２の方向に沿った方向に延伸する帯状の領域を折り目部とする場合、
前記外側板と前記内側板とは、前記第１の側辺縁部の少なくとも一部において互いに遊動しないように前記第２の方向に沿って連結され、
前記外側板と前記内側板とは、前記下辺縁部のうち前記折り目部から見て前記第１の側辺縁部側に位置する部分の少なくとも一部において互いに遊動しないように前記第１の方向に沿って連結され、
前記外側板と前記内側板とは、前記折り目部から見て前記第２の側辺縁部側に位置する領域において、少なくとも前記第１の方向に関し互いに遊動可能であり、
前記外側板の前記第１の方向の長さは前記内側板の前記第１の方向の長さより長くされており、折り曲げられる際には、前記外側板と前記内側板が互いに前記第１の方向にずれるように移動する
シート状物を収納するための収納具
を提供する（第１の実施態様）。
【００１４】
また、好ましい実施態様として、上述の第１の実施態様において、
前記外側板と前記内側板とを、前記折り目部から見て前記第２の側辺縁部側に位置する領域のいずれかの位置において互いに遊動可能に連結する連結部を備える
構成が採用されてもよい（第２の実施態様）。
【００１５】
また、他の好ましい実施態様として、上述の第１または第２の実施態様において、
前記内側板は前記折り目部から見て前記第２の側辺縁部側に位置する領域において前記第２の側辺縁部の外側に向かい開口する中空部を備え、
前記外側板は前記内側板を内側に挟むように前記折り目部に沿って折り曲げられた状態において、前記外側板の前記第２の側辺縁部が前記外側板の前記第１の側辺縁部に達することで、前記内側板を前記第１の方向に覆い包む
構成が採用されてもよい（第３の実施態様）。
【００１６】
また、さらに他の好ましい実施態様として、上述の第１乃至第３のいずれかの実施態様において、
前記外側板は前記折り目部から見て前記第１の側辺縁部側に位置する領域において前記上辺縁部の外側に向かい開口する中空部を備え、
前記外側板が備える前記第１の側辺縁部側に位置する領域において前記上辺縁部の外側に向かい開口する中空部は、前記下辺縁部に関し当該下辺縁部の一部においてのみ外側に向かい開口する開口部を有する
構成が採用されてもよい（第４の実施態様）。
【００１７】
また、さらに他の好ましい実施態様として、上述の第１乃至第４のいずれかの実施態様において、
前記内側板は前記折り目部から見て前記第１の側辺縁部側に位置する領域において前記第１の側辺縁部の外側に向かい開口する中空部を備え、
前記外側板は前記内側板を内側に挟むように前記折り目部に沿って折り曲げられた状態において、前記外側板の前記第２の側辺縁部が前記外側板の前記第１の側辺縁部に達することで、前記内側板を前記第１の方向に覆い包む
構成が採用されてもよい（第５の実施態様）。
【００１８】
また、さらに他の好ましい実施態様として、上述の第１乃至第５のいずれかの実施態様において、
前記外側板は前記内側板を内側に挟むように前記折り目部に沿って折り曲げられた状態において、前記外側板の前記第２の側辺縁部が前記外側板の前記第１の側辺縁部に達することで、前記内側板を前記第１の方向に覆い包み、
前記外側板は前記内側板の前記第２の側辺縁部に沿って延伸する領域において前記内側板に対向する側に開口する中空部を備える
構成が採用されてもよい（第６の実施態様）。
【００１９】
また、さらに他の好ましい実施態様として、上述の第１乃至第６のいずれかの実施態様において、
前記外側板は前記折り目部から見て前記第１の側辺縁部側に位置する領域において前記第１の側辺縁部の外側に向かい開口する中空部を備え、
前記外側板は前記内側板を内側に挟むように前記折り目部に沿って折り曲げられた状態において、前記外側板の前記第２の側辺縁部が前記外側板の前記第１の側辺縁部に達することで、前記内側板を前記第１の方向に覆い包む
構成が採用されてもよい（第７の実施態様）。
【００２０】
また、さらに他の好ましい実施態様として、上述の第１乃至第７のいずれかの実施態様において、
前記外側板は前記折り目部から見て前記第２の側辺縁部側に位置する領域において前記上辺縁部の外側に向かい開口する中空部を備え、
前記外側板が備える前記第２の側辺縁部側に位置する領域において前記上辺縁部の外側に向かい開口する中空部は、前記下辺縁部に関し当該下辺縁部の一部においてのみ外側に向かい開口する開口部を有する
構成が採用されてもよい（第８の実施態様）。
【００２１】
また、さらに他の好ましい実施態様として、上述の第１乃至第８のいずれかの実施態様において、
前記内側板は前記折り目部から見て前記第１の側辺縁部側に位置する領域において前記上辺縁部の外側に向かい開口する中空部を備え、
前記内側板が備える前記第１の側辺縁部側に位置する領域において前記上辺縁部の外側に向かい開口する中空部は、前記下辺縁部に関し当該下辺縁部の一部においてのみ外側に向かい開口する開口部を有する
構成が採用されてもよい（第９の実施態様）。
【００２２】
また、さらに他の好ましい実施態様として、上述の第１乃至第９のいずれかの実施態様において、
前記内側板は前記折り目部から見て前記第２の側辺縁部側に位置する領域において前記上辺縁部の外側に向かい開口する中空部を備え、
前記内側板が備える前記第２の側辺縁部側に位置する領域において前記上辺縁部の外側に向かい開口する中空部は、前記下辺縁部に関し当該下辺縁部の一部においてのみ外側に向かい開口する開口部を有する
構成が採用されてもよい（第１０の実施態様）。
【発明の効果】
【００２３】
上述の第１の実施態様にかかる収納具によれば、外側板と内側板が折り目部から見た片側において互いに固着されていないため、折り曲げ時にそれらが互いにずれることで曲率の差を吸収することができる。そのため、弛み部を設ける必要がなく、その分、収納具のコンパクト化および軽量化を図ることができる。
【００２４】
また、上述の第２の実施態様にかかる収納具によれば、外側板と内側板の互いに固着されていない部分が帯や紐などの連結部により遊動可能な状態を保ちながら連結されるため、例えば内側板が柔軟性に富んだ素材である場合において、財布を開いた際、内側板が折り目部から見た片側において不要に動いて邪魔になる、といった不都合が回避される。
【００２５】
また、上述の第３の実施態様にかかる収納具によれば、内側板が外側板と遊動可能な側において、内側板の側辺縁部に外側に開口する中空部がポケットとして設けられているため、例えば硬貨をそのポケットに収納することができる。その際、外側板が中空部の開口部を覆うように内側板を覆い包むため、ポケットの開口部に別途、蓋を設けることなく硬貨等の収納物の不本意な落下等が防止される。
【００２６】
また、上述の第４の実施態様にかかる収納具によれば、外側板が内側板と遊動不可能に固着されている側において、外側板の上辺縁部に外側に向かい開口する中空部がポケットとして設けられているため、例えばクレジットカード等のカード類をそのポケットに収納することができる。その際、当該ポケットの底、すなわち外側板の下辺縁部の一部が開口しているため、ユーザがその底側の開口部から収納されているカード類を上辺縁部側に押し出すことにより、容易にカード類の取り出しを行うことができる。
【００２７】
また、上述の第５の実施態様にかかる収納具によれば、内側板が外側板と遊動不可能に固着されている側において、内側板の側辺縁部に外側に開口する中空部がポケットとして設けられているため、例えば硬貨をそのポケットに収納することができる。その際、外側板がポケットの開口部を覆うように内側板を覆い包むため、ポケットの開口部に別途、蓋を設けなくとも硬貨等の収納物の不本意な落下等が防止される。
【００２８】
また、上述の第６の実施態様にかかる収納具によれば、外側板が内側板と遊動可能な側の中腹部、すなわち内側板の側辺縁部と概ね重なる位置において、内側に開口する中空部がポケットとして設けられているため、例えば硬貨をそのポケットに収納することができる。その際、内側板を覆い包むために外側板がそのポケットの開口部からさらに延伸する部分を備え、その延伸部分が湾曲もしくは屈曲してポケットの開口部を概ね塞ぐため、ポケットの開口部に別途、蓋を設けなくとも硬貨等の収納物の不本意な落下等が防止される。
【００２９】
また、上述の第７の実施態様にかかる収納具によれば、外側板が内側板と遊動不可能に固着されている側において、外側板の側辺縁部に外側に開口する中空部がポケットとして設けられているため、例えば硬貨をそのポケットに収納することができる。その際、内側板を覆い包むために延伸した外側板の反対側の側辺縁部によりポケットの開口部が覆われるため、ポケットの開口部に別途、蓋を設けなくとも硬貨等の収納物の不本意な落下等が防止される。
【００３０】
また、上述の第８の実施態様にかかる収納具によれば、外側板が内側板と遊動可能な側において、外側板の上辺縁部に外側に向かい開口する中空部がポケットとして設けられているため、例えばクレジットカード等のカード類をそのポケットに収納することができる。その際、当該ポケットの底、すなわち外側板の下辺縁部の一部が開口しているため、ユーザがその底側の開口部から収納されているカード類を上辺縁部側に押し出すことにより、容易にカード類の取り出しを行うことができる。
【００３１】
また、上述の第９の実施態様にかかる収納具によれば、内側板が外側板と遊動不可能に固着されている側において、内側板の上辺縁部に外側に向かい開口する中空部がポケットとして設けられているため、例えばクレジットカード等のカード類をそのポケットに収納することができる。その際、当該ポケットの底、すなわち内側板の下辺縁部の一部が開口しているため、ユーザがその底側の開口部から収納されているカード類を上辺縁部側に押し出すことにより、容易にカード類の取り出しを行うことができる。
【００３２】
また、上述の第１０の実施態様にかかる収納具によれば、内側板が外側板と遊動可能な側において、内側板の上辺縁部に外側に向かい開口する中空部がポケットとして設けられているため、例えばクレジットカード等のカード類をそのポケットに収納することができる。その際、当該ポケットの底、すなわち内側板の下辺縁部の一部が開口しているため、ユーザがその底側の開口部から収納されているカード類を上辺縁部側に押し出すことにより、容易にカード類の取り出しを行うことができる。
【図面の簡単な説明】
【００３３】
【図１】図１は、本発明の第１実施例にかかる財布の概観を模式的に示した図である。
【図２】図２は、本発明の第２実施例にかかる財布の概観を模式的に示した図である。
【図３】図３は、本発明の第３実施例にかかる財布の概観を模式的に示した図である。
【図４】図４は従来技術にかかる折財布の概観を模式的に示した図である。
【発明を実施するための形態】
【００３４】
以下に本発明の実施例にかかる収納具として、いくつかの財布の構造およびその使用方法を説明する。
【００３５】
［第１実施例］
図１は、本発明の第１実施例にかかる財布１の概観を模式的に示した図である。図１は折り曲げ前の状態の財布１を、また図１（ｂ）は折り曲げ後の状態の財布１を示している。
【００３６】
財布１は、細長い概ね矩形のシート状皮革をその長手方向の概ね中腹において二つ折りし、図１（ａ）における下側の縁部のうち、二つ折りの状態において折り目から長手方向に概ね半分の長さ領域において、互いに折り重なった奥側および手前側の２枚のシート状皮革を縫合した構造を備えている。
【００３７】
財布１のうち、図１（ａ）における奥側のシート状皮革が外側板１１、手前側のシート状皮革が内側板１２を構成する。外側板１１と内側板１２は図１（ａ）の右側の辺縁部において連続しており、下側の辺縁部の右側領域において縫合されているため、それらの間に挟み込まれる紙幣Ｎをホールドすることができる。
【００３８】
以下の説明において、財布１の構成部の位置および方向を示すために、図１（ａ）に示すように、財布１の４つの辺縁部のうち、外側板１１と内側板１２とが折り目を介して連続している側方の辺縁部を第１の側辺縁部Ｓ１、それに対向する側方の辺縁部、すなわち外側板１１と内側板１２とが連結されていない側方の辺縁部を第２の側辺縁部Ｓ２、概ね半分が縫合により塞がれている下方の辺縁部を下辺縁部Ｂ、それに対向する側の辺縁部、すなわち概ね全域に渡り開口している上方の辺縁部を上辺縁部Ｕと呼ぶ。また、財布１の左右方向の概ね中腹において上下方向に延伸する領域を折り目部Ｆと呼ぶ。
【００３９】
下辺縁部Ｂにおける縫い目Ｎは、概ね下辺縁部Ｂの第１の側辺縁部Ｓ１側の端部から折り目部Ｆの手前（図１（ａ）における折り目部Ｆの右側）までの領域において外側板１１と内側板１２とを縫合している。
【００４０】
外側板１１と内側板１２の各々には、折り目部Ｆにおいて図１（ａ）における手前側から見て谷折りとなるように折り癖が付けられている。そのため、ユーザは財布１全体を容易に二つ折りし、図１（ｂ）に示す状態にすることができる。
【００４１】
財布１が図１（ｂ）に示すように二つ折りされた状態において、外側板１１の折り目部Ｆにおける曲率Ｒは、内側板１２の折り目部Ｆにおける曲率ｒよりも大きい。その曲率の違いを考慮して、外側板１１の左右方向の長さは内側板１２の左右方向の長さよりやや長くされている。その結果、二つ折りにされた状態の財布１において、内側板１２の第２の側辺縁部Ｓ２が外側板１１の第２の側辺縁部Ｓ２より外側にはみ出すことはない。
【００４２】
ところで、財布１においては図４に示した折財布と異なり、折り目部Ｆから見て第２の側辺縁部Ｓ２側の領域において、外側板１１と内側板１２とが互いに縫合等により固着されておらず、それらが互いに遊動可能となっている。そのため、財布１が折り曲げられる際に、外側板１１と内側板１２が互いに左右方向にずれるように移動し、自然と図１（ｂ）のような状態に収まる。従って、財布１には図４に示した折財布には必要な弛み部９１１が不要である。
【００４３】
なお、上述した折り曲げ時における外側板１１と内側板１２とのずれを考慮して、外側板１１の折り目部Ｆに付けられる折り癖は、内側板１２の折り目部Ｆに付けられる折り癖よりやや第２の側辺縁部Ｓ２側に配置されている。
【００４４】
上述した構造を備える財布１のユーザは、紙幣Ｎを財布１に収納したい場合、財布１を図１（ａ）に示すように開き、上辺縁部Ｕの開口部を広げた後、その開口部に対し紙幣Ｎを差し入れ、外側板１１と内側板１２との間に紙幣Ｎを挟み込んだ後、財布１を折り曲げて図１（ｂ）の状態にする。紙幣Ｎを財布１から取り出す際も概ね同様の動作によりそれを行うことができる。
【００４５】
このように紙幣Ｎを収納可能な財布１は、弛み部を持たないためコンパクトかつ軽量で携帯性に優れるとともに、美観上も優れている。
【００４６】
［第２実施例］
図２は、本発明の第２実施例にかかる財布２の概観を模式的に示した図である。財布２は上述した第１実施例にかかる財布１に対し、硬貨Ｈを収納するためのポケットを付加したものである。従って、以下に財布２が財布１と異なる点を中心に説明を行う。なお、財布２が財布１と共通もしくは対応して有する構成部等に関しては、財布１の説明において用いた符号と同じ符号を用いる。
【００４７】
図２（ａ）は折り曲げ前の状態の財布２を、また図２（ｂ）は折り曲げ後の状態の財布２を示している。また、図２（ｃ）は財布２の外側板１１と内側板１２が第２の側辺縁部Ｓ２において互いに遊動可能に連結されている様子を示すために、第２の側辺縁部Ｓ２側の側方から見た財布２を示している。
【００４８】
以下の説明において、財布２の内側板１２の、折り目部Ｆから見て第１の側辺縁部Ｓ１側の部分を内面板連結側部分１２１、第２の側辺縁部Ｓ２側の部分を内面板非連結側部分１２２と呼ぶ。
【００４９】
財布２の内面板非連結側部分１２２は２層構造となっており、第２の側辺縁部Ｓ２側の端辺が開口し、他の３つの端辺が閉じられ、硬貨Ｈを収納するための中空部Ｐを形成可能となっている。そのような構造の内面板非連結側部分１２２は、財布１における内側板１２の第２の側辺縁部Ｓ２側の領域の外面上（図１（ａ）における手前面上）に、内側板１２の概ね半分の面積のシート状皮革を重ね合わせ、その３つの端辺において重ね合わされた２枚のシート状皮革を縫合することにより実現されている。
【００５０】
財布２の外側板１１は、内側板１２の第２の側辺縁部Ｓ２よりさらに外側に延伸するようにその左右方向の長さが長くされており、その延伸部分が図２（ａ）に示されるように外側に凸に湾曲するように、癖が付けられている。この湾曲した延伸部分は財布２が二つ折りにされた状態において外側板１１の第１の側辺縁部Ｓ１側の部分の外面上に到達し、内側板１２を覆い包みながら中空部Ｐに収納された硬貨Ｈが容易に落下することを防ぐ蓋１１０として機能する。
【００５１】
蓋１１０の内側面上と、外側板１１の第１の側辺縁部Ｓ１側の部分の外側面上には、互いに押し込みおよび引き抜きにより着脱可能に係着するスナップボタンの雌金具と雄金具が取り付けられている。
【００５２】
財布２には、上述したように内側板１２の内面板非連結側部分１２２に中空部Ｐが設けられ、そこには硬貨Ｈが複数枚、収納され得る。中空部Ｐに多数の硬貨Ｈを収納した状態で、財布２を図２（ａ）に示すように開き、第１の側辺縁部Ｓ１が下側、第２の側辺縁部Ｓ２が上側となるように傾けると、硬貨Ｈの重さにより内面板非連結側部分１２２が折り目部Ｆの長手方向を軸に蓋１１０により覆われる領域を超えて回動し、硬貨Ｈが中空部Ｐから落下する危険性がある。
【００５３】
そのような不都合を回避するため、財布２の外側板１１と内側板１２とは第２の側辺縁部Ｓ２において、図２（ｃ）に示されるように、薄く短い帯状のシート状皮革である連結帯２３により、それらの対向する面において互いに遊動可能に連結されている。ただし、財布２における遊動とは、連結帯２３の長さおよび柔軟性により制限される範囲内の領域において、外側板１１と内側板１２とが互いに自由に相対的位置を変えることを意味する。
【００５４】
なお、連結帯２３の一方の端部は外側板１１の下端部に、他方の端部は内側板１２の上下方向の中腹部に、縫合および鳩目鋲により各々取り付けられている。そのように連結帯２３の取り付け位置が配置されることにより、外側板１１と内側板１２との間に紙幣Ｎが収納される際、連結帯２３が邪魔にはならない。
【００５５】
上述した構造を備える財布２のユーザは、硬貨Ｈを財布２に収納したい場合、財布２を図２（ａ）に示すように開き、中空部Ｐの開口部が上方を向くように財布２を傾けた後、例えば内面板非連結側部分１２２の手前の層を手前に引くことにより中空部Ｐの開口部を広げる。その後、開いた開口部に対し硬貨Ｈを投入し、財布２を折り曲げ、蓋１１０をスナップボタンで外側板１１の第１の側辺縁部Ｓ１側の外面上に係着させて図２（ｂ）の状態にする。硬貨Ｈを財布２から取り出す際も概ね同様の動作によりそれを行うことができる。
【００５６】
このように、財布２は紙幣Ｎと硬貨Ｈとを収納可能であるが、弛み部を持たない上に、硬貨Ｈの落下を防止するための蓋の役割を外側板１１の一部（蓋１１０）が受け持つため、別途、蓋を設ける必要がなく、コンパクトかつ軽量で携帯性に優れるとともに、美観上も優れている。
【００５７】
［第３実施例］
図３は、本発明の第３実施例にかかる財布３の概観を模式的に示した図である。財布３は上述した第２実施例にかかる財布２に対し、カードＣを収納するためのポケットを付加したものである。従って、以下に財布３が財布２と異なる点を中心に説明を行う。なお、財布３が財布１もしくは財布２と共通もしくは対応して有する構成部等に関しては、財布１もしくは財布２の説明において用いた符号と同じ符号を用いる。
【００５８】
図３（ａ）は折り曲げ前の状態の財布３を、また図３（ｂ）は折り曲げ後の状態の財布３を示している。ただし、図３（ａ）には、図２（ａ）に示した財布２の背面側に対応する側から見た場合の財布３が示されている。
【００５９】
以下の説明において、財布３の外側板１１の、折り目部Ｆから見て第１の側辺縁部Ｓ１側の部分（内面板連結側部分１２１と重なる部分）を外面板連結側部分１１１、第２の側辺縁部Ｓ２側の部分のうち蓋１１０を除く部分（内面板非連結側部分１２２と重なる部分）を外面板非連結側部分１１２と呼ぶ。
【００６０】
財布３の外面板連結側部分１１１は２層構造となっており、上辺縁部Ｕ側の端辺は概ね全域に渡り開口し、第１の側辺縁部Ｓ１側の端辺は下辺縁部Ｂ側の概ね３分の１の長さ領域において開口し他は閉じられ、第１の側辺縁部Ｓ１側の端辺と対向する端辺は概ね全域に渡り閉じられ、下辺縁部Ｂ側の端辺は第１の側辺縁部Ｓ１側の概ね２分の１の長さ領域において開口し他は閉じられ、カードＣを収納するための中空部Ｑを形成している。
【００６１】
財布３の外面板連結側部分１１１が備える２層のうち外側の層には、カードＣを収納しない状態においても内側の層との間に５ミリメートル程度の距離を保つ薄い箱形状を維持可能なように、その素材であるシート状皮革に型押し等の加工が施されている。ただし、中空部Ｑの左右方向の長さが一般的なカードのサイズよりやや短くされており、中空部Ｑに収納されたカードをその側壁が左右外側から支持するため、中空部Ｑの上方の開口部を塞ぐ蓋等を別途設けなくともカードＣが不用意に中空部Ｑから落下することはない。
【００６２】
また、財布３の外面板連結側部分１１１が備える２層のうち外側の層には、図３（ａ）に示されるように、上辺縁部Ｕ側の左右方向の中腹あたりに頂角が下方に凸となる二等辺三角形の切り込みが、また下辺縁部Ｂと第１の側辺縁部Ｓ１との角部に頂角が左下方に凸となる二等辺三角形の切り込みが、それぞれ設けられている。
【００６３】
上方の切り込み部分は、ユーザが中空部Ｑに収納されているカードＣを開口方向に引き出す際に利用される。ただし、中空部ＱにカードＣが複数枚収納されている場合、ユーザはそれらのカードＣのうち一番上（手前）のものから順に１枚ずつ引き出す必要がある。これに対し、左下方の切り込み部分は、ユーザがそれら複数のカードＣを一度に中空部Ｑから開口方向に押し出す際に利用される。すなわち、ユーザはこれらの切り込みに露出するカードＣを必要に応じて１枚ずつ引き出したり、複数枚をまとめて押し出したりすることで、容易かつ素早く希望するカードＣを財布３から取り出すことができる。
【００６４】
上記のような構造の外面板連結側部分１１１は、財布２における外側板１１の第１の側辺縁部Ｓ１側の領域の外面上に、薄い箱状体に成形され、かつ上端中腹部および左下角部に切り込みを入れたシート状皮革を重ね合わせ、その３つの端辺において重ね合わされた２枚のシート状皮革を縫合することにより実現されている。
【００６５】
財布３の蓋１１０は、図３（ｂ）に示されるように、財布２の蓋１１０と比べ左右方向の全長が長く、その上側の角部および下側の角部が大きく斜めに切り落とされている。これは、外面板連結側部分１１１に形成されるポケットの切り込み部から露出するカードＣを外部から保護するとともに、カードＣが露出しない領域については外面板連結側部分１１１を覆わないことで、財布３の軽量化を図るためである。
【００６６】
上記のような形状の蓋１１０の端辺側の内側面上に取り付けられているスナップボタンの雌金具と係着するように、財布３においては、外面板連結側部分１１１の第２の側辺縁部Ｓ２側の端辺付近の外側面上にスナップボタンの雄金具が取り付けられている。
【００６７】
図３（ｂ）に示されるように閉じた状態における財布３の平板な面のサイズは、一般的なクレジットカード等のサイズよりやや大きいサイズ、すなわち図３（ｂ）における高さ方向が約９センチメートル、幅方向が約６センチメートルである。また、厚み方向のサイズは収納物の多少により、概ね２〜３センチメートルの範囲内で変化する。
【００６８】
上述した構造を備える財布３のユーザは、カードＣを財布３に収納したい場合、単に中空部Ｑの開口部からカードＣを差し入れればよく、必ずしも財布３を図３（ａ）に示すように開く必要はない。カードＣを財布３から取り出す際は、蓋１１０を外面板連結側部分１１１の外面上から捲り上げてスナップボタンによるそれらの係着を解いた後、上述したようにポケットに設けられた切り込み部を用いてカードＣを中空部Ｑから引き出す、もしくは押し出す。
【００６９】
なお、上述したように極めてコンパクトな財布３の内側板１２は広げた状態の紙幣Ｎの全てを覆うことができない。すなわち、図３（ａ）に示されるように、紙幣Ｎの長手方向の概ね３分の１の領域が内側板１２にカバーされることなくはみ出すが、紙幣Ｎのはみ出した部分は財布３が折り曲げられる際、内面板連結側部分１２１と内面板非連結側部分１２２との間に挟まれてホールドされ、財布３から外に露出することはない。なお、紙幣Ｎの一部が内側板１２からはみ出すことを嫌うユーザは、紙幣Ｎの３分の１を折り曲げたり、もしくは半分に折り曲げたりすることでその全てを外側板１１と内側板１２との間に挟むように財布３を用いてもよい。
【００７０】
このように、財布３は紙幣Ｎ、硬貨ＨおよびカードＣを収納可能であるが、弛み部を持たない上に、硬貨Ｈの落下とカードＣの外部からの損傷を防止するための蓋の役割を外側板１１の一部（蓋１１０）が受け持つため、別途、蓋を設ける必要がなく、コンパクトかつ軽量で携帯性に優れるとともに、美観上も優れている。
【００７１】
［変形例］
上述した実施例は本発明の具体例であって、様々に変形可能である。以下にそれらの変形の例を示す。
【００７２】
上述した財布１、財布２および財布３の構造は右手が利き手のユーザにとって便利なように、開口部の配置等が行われている。従って、左手が利き手のユーザにとって便利なように、これらの財布の構造を左右対称にしてもよい。
【００７３】
また、上述した財布２および財布３において硬貨Ｈを収納する目的で設けられている中空部Ｐに代えて、もしくはそれに加えて、例えば以下の位置に硬貨Ｈなどを収納する目的の中空部（例えば中空部Ｐと同様の構造のもの）を設けてもよい。
（ａ）内面板連結側部分１２１（第１の側辺縁部Ｓ１の外側に開口）
（ｂ）外面板非連結側部分１１２（内側板１２の第２の側辺縁部Ｓ２に沿う位置、すなわち蓋１１０と外面板非連結側部分１１２との境界線あたりにおいて、蓋１１０の方向かつ内面板非連結側部分１２２に向かう側に開口）
（ｃ）外面板連結側部分１１１（第１の側辺縁部Ｓ１の外側に開口）
【００７４】
なお、上記（ａ）または（ｃ）の場合、例えば紙幣Ｎの出し入れの際に財布２または財布３を第１の側辺縁部Ｓ１側が下になるように傾けると、第１の側辺縁部Ｓ１の外側方向に開いた開口部から中空部内に収容されている硬貨Ｈが落下する場合がある。それを防止するために、第１の側辺縁部Ｓ１に別途、蓋やファスナー等の開口部を塞ぐ構成部を設けてもよい。
【００７５】
また、上述した財布３においてカードＣを収納する目的で設けられている中空部Ｑに代えて、もしくはそれに加えて、例えば以下の位置にカードＣを収納する目的の中空部（例えば中空部Ｑと同様の構造のもの）を設けてもよい。
（ｄ）外面板非連結側部分１１２（上辺縁部Ｕの外側に開口）
（ｅ）内面板連結側部分１２１（上辺縁部Ｕの外側に開口）
（ｆ）内面板非連結側部分１２２（上辺縁部Ｕの外側に開口）
【００７６】
なお、上記（ｄ）の場合、紙幣Ｎの収納を妨げないように、中空部を構成する箱状体は外面板非連結側部分１１２の外側方向に隆起するように設けられることが望ましい。同様に、上記（ｅ）および（ｆ）の場合、紙幣Ｎの収納を妨げないように、中空部を構成する箱状体は内面板連結側部分１２１もしくは内面板非連結側部分１２２の内側方向に隆起するように設けられることが望ましい。
【００７７】
また、財布２および財布３においては、蓋１１０と外面板連結側部分１１１とがスナップボタンにより着脱可能に係着するものとしたが、スナップボタンに代えて、例えば面ファスナーなどの他の係着手段が採用されてもよいし、癖付けられた湾曲が通常の使用において概ね維持される程度に蓋１１０の剛性が高い場合には、係着手段は設けられなくてもよい。
【００７８】
また、財布１、財布２および財布３の主たる素材はシート状皮革であるものとしたが、それに代えて、例えば可撓性樹脂シートなどの他の可撓性シート状素材が採用されてもよい。
【００７９】
また、財布１、財布２および財布３においては、１枚のシート状皮革を折り曲げることにより外側板１１および内側板１２が形成され、縫合等を要さずに第１の側辺縁部Ｓ１においてそれらが連続しているが、例えば下辺縁部Ｂの第１の側辺縁部Ｓ１側半分において連続している１枚のシート状皮革を折り曲げることにより外側板１１および内側板１２が形成されてもよい。その場合、第１の側辺縁部Ｓ１を縫合等により塞ぐことになる。また、分離された２枚のシート状皮革の各々を外側板、内側板とし、それらを第１の側辺縁部Ｓ１および下辺縁部Ｂの第１の側辺縁部Ｓ１側半分の領域において縫合等により塞いでもよい。
【００８０】
また、財布１、財布２および財布３において、２枚以上のシート状皮革を互いに固着し連結するにあたり、縫合に代えて接着等の他の方法が採用されてもよい。また、財布１、財布２および財布３の素材が可撓性樹脂シートである場合などは、熱溶着などによる固着方法に加え、一体成形によりその全体形状の成形が行われてもよい。
【００８１】
また、財布２および財布３においては、内面板非連結側部分１２２と外面板非連結側部分１１２とが帯状体の連結帯２３により互いに遊動可能に連結されるものとしたが、それに代えて、紐状体などの他の形状の連結部により内面板非連結側部分１２２と外面板非連結側部分１１２とが遊動可能に連結されてもよい。また、それらの連結部の個数は複数でもよい。
【００８２】
また、例えば内面板非連結側部分１２２の外面板非連結側部分１１２に対向する面上に左右方向に延伸する細いベルトを設け、そのベルトを、外面板非連結側部分１１２の内面板非連結側部分１２２に対向する面上に設けたベルト孔に通すなどの方法により、財布の折り曲げ時の外側板１１と内側板１２のずれを吸収する機構が連結帯２３に代えて採用されてもよい。
【００８３】
この場合、左右方向に関しては、ベルトがベルト孔内を自由に移動できるため内面板非連結側部分１２２と外面板非連結側部分１１２とが遊動可能であるが、上下方向（下辺縁部Ｂから上辺縁部Ｕに向かう方向、もしくはその逆の方向）に関してはベルトがベルト孔の上下の縁部によりホールドされるため内面板非連結側部分１２２と外面板非連結側部分１１２とが遊動不可能である。その結果、財布の折り曲げ時のずれは吸収されるが、内面板非連結側部分１２２と外面板非連結側部分１１２との上下方向の不要なずれが低減され、望ましい。
【００８４】
また、財布３に関してはその高いコンパクト性を示すためにサイズを例示したが、本発明にかかる収納具のサイズはその目的、デザイン等に応じて自由に変更可能である。
【００８５】
また、財布１、財布２および財布３に関し図を用いて示した形状や各構成部の位置、サイズ等はあくまで例示であって、例えば、外面板連結側部分１１１の外側の層に設けられる切り込みの形状を二等辺三角形ではなく半円や扇型とする、それらの位置やサイズを変更するなど、他の様々なデザインが採用され得る。
【００８６】
なお、本発明の実施例として財布を説明したが、本発明は紙幣に限られず様々なシート状物を収納可能な収納具に広く適用可能である。また、上記の説明において、財布に紙幣、硬貨およびカードが収納されるものとしたが、例えばメモ用紙や鍵など、他の様々な被収納物が本発明にかかる収納具に収納され得る。
【産業上の利用可能性】
【００８７】
本発明にかかる財布に代表されるシート状物の収納具は、量産可能であり、広く一般消費者に購入され利用されるため、少なくとも製造業、卸売り・小売り等のサービス業に貢献する。
【符号の説明】
【００８８】
１…財布、２…財布、３…財布、１１…外側板、１２…内側板、２３…連結帯、９１…外側板、９２…内側板、１１０…蓋、１１１…外面板連結側部分、１１２…外面板非連結側部分、１２１…内面板連結側部分、１２２…内面板非連結側部分、９１１…弛み部
【図１】
0005804590.tif 000002
【図２】
0005804590.tif 000003
【図３】
0005804590.tif 000004
【図４】
0005804590.tif 000005